(57)【要約】【課題】電気光学用基板の信号線の構成を適正化することにより、高速シリアル転送を採用した場合の信号特性の向上やノイズの低減を図ることのできる電気光学パネル、電気光学装置、および電子機器を提供することにある。【解決手段】電気光学装置の素子基板１０上には、第１信号線１１ｅ〜１１ｈと、この第１信号線１１ｅ〜１１ｈよりも広い幅寸法の第２信号線１１ａ〜１１ｄとが形成されている。このため、幅寸法の広い第２信号線１１ａ〜１１ｄを高速シリアル転送に用い、幅寸法の狭い第１信号線１１ｅ〜１１ｈについては、第２信号線１１ａ〜１１ｄに比して転送速度が遅いシリアル転送用の信号線、あるいはパラレル転送用の信号線として用いる。【選択図】図４
2010122483.tif 000002
【特許請求の範囲】
【請求項１】
複数の画素が配列された画素配列領域を備えた電気光学装置用基板と、
当該電気光学装置用基板の端部に設けられた第１パッドと、
前記電気光学装置用基板に設けられ、前記第１パッドから前記画素配列領域が位置する
側に向けて延在する第１信号線と、
前記電気光学装置用基板の端部に設けられた第２パッドと、
前記電気光学装置用基板に設けられ、前記第１信号線よりも広い幅寸法をもって前記第
２パッドから前記画素配列領域が位置する側に向けて延在する第２信号線と、
を有し、
前記第２信号線は、シリアル転送用の信号線であり、
前記第１信号線は、前記第２信号線に比して転送速度が遅いシリアル転送用の信号線、
あるいはパラレル転送用の信号線であることを特徴とする電気光学パネル。
【請求項２】
前記第２信号線は、高速シリアル転送を行なう差動信号線を含み、
当該差動信号線の１本当たりの幅寸法が前記第１信号線より幅広であることを特徴とす
る請求項１に記載の電気光学パネル。
【請求項３】
前記第２パッドは、前記第１パッドよりも幅寸法が広い導電パターンからなることを特
徴とする請求項１または２に記載の電気光学パネル。
【請求項４】
前記第２パッドは、前記第１パッドと幅寸法が等しい複数の導電パターンからなること
を特徴とする請求項１または２に記載の電気光学パネル。
【請求項５】
請求項１乃至４の何れか一項に記載の電気光学パネルを備えた電気光学装置であって、
前記画素配列領域内から延在する信号線の端部に接続する端子、前記第１信号線におい
て前記画素配列領域側に位置する端部に接続する端子、および前記第２信号線において前
記画素配列領域側に位置する端部に接続する端子を備えた集積回路装置と、
前記第１パッドに接続する端子、および前記第２パッドに接続する端子を備えた配線基
板と、
を有していることを特徴とする電気光学装置。
【請求項６】
請求項５に記載の電気光学装置を備えていることを特徴とする電子機器。
【発明の詳細な説明】
【技術分野】
【０００１】
本発明は、電気光学パネル、電気光学装置、および電子機器に関するものである。さら
に詳しくは、電気光学装置用基板に形成された信号線のインピーダンス低減技術に関する
ものである。
【背景技術】
【０００２】
近年、ＥＭＩノイズの低減などを目的としたインターフェースとしてＬＶＤＳ（Low Vo
ltage Differential Signaling）などの高速シリアル転送が脚光を浴びている。かかる高
速シリアル転送を行なうための高速シリアルインターフェース回路（ＨＳＳＩＦ／High S
peed Serial Interface）は、シリアル化されたデータを差動信号により送信するトラン
スミッタ回路と、差動信号を差動増幅するレシーバ回路とによって実現される（特許文献
１参照）。
【０００３】
また、高速シリアル転送は、配線の本数を減らすことができるという利点がある。この
ため、折り畳み式の携帯電話機などにおいて、電話番号入力や文字入力を行なうためのボ
タンが設けられた第１の機器部分と、ＬＣＤ（Liquid Crystal Display）などの電気光学
装置やカメラデバイスが設けられた第２の機器部分とがヒンジなどの連結部分により連結
されている場合に、ヒンジなどの連結部分を介して第１の機器部分と第２の機器部分との
間でデータ転送を行なうのに適している。
【０００４】
かかる高速シリアル転送を採用するにあたっては、信号特性の向上やノイズの低減とい
う面から高速ラインのインピーダンスコントロールが必要であるため、電気光学パネルに
接続されるフレキシブル配線基板やコネクタには、インピーダンスコントロールが行なわ
れたものが用いられている。
【特許文献１】特開２００５−２５７８５４号公報
【発明の開示】
【発明が解決しようとする課題】
【０００５】
しかしながら、液晶装置などの電気光学装置に高速シリアル転送を採用した場合、フレ
キシブル配線基板やコネクタのインピーダンスコントロールを行なっても、信号特性の向
上やノイズの低減を十分図ることができないという問題点がある。
【０００６】
本願発明者等は、かかる問題点を検討した結果、電気光学装置用基板に形成される配線
が、従来のＭＰＵインターフェース用の設計をそのまま適用しているためであるという新
たな知見を得た。
【０００７】
ここに、本発明の課題は、電気光学用基板の信号線の構成を適正化することにより、高
速シリアル転送を採用した場合の信号特性の向上やノイズの低減を図ることのできる電気
光学パネル、電気光学装置、および電子機器を提供することにある。
【課題を解決するための手段】
【０００８】
上記課題を解決するために、本発明の電気光学パネルでは、複数の画素が配列された画
素配列領域を備えた電気光学装置用基板と、当該電気光学装置用基板の端部に設けられた
第１パッドと、前記電気光学装置用基板に設けられ、前記第１パッドから前記画素配列領
域が位置する側に向けて延在する第１信号線と、前記電気光学装置用基板の端部に設けら
れた第２パッドと、前記電気光学装置用基板に設けられ、前記第１信号線よりも広い幅寸
法をもって前記第２パッドから前記画素配列領域が位置する側に向けて延在する第２信号
線と、を有し、前記第２信号線は、シリアル転送用の信号線であり、前記第１信号線は、
前記第２信号線に比して転送速度が遅いシリアル転送用の信号線、あるいはパラレル転送
用の信号線であることを特徴とする。
【０００９】
本発明において、電気光学装置用基板上には、第１信号線と、この第１信号線よりも広
い幅寸法の第２信号線とが形成されている。このため、電気光学パネルを用いて電気光学
装置を構成する場合、第２信号線については高速シリアル転送用の信号線として用いるこ
とができ、幅寸法の狭い第１信号線については、第２信号線に比して転送速度が遅いシリ
アル転送用の信号線、あるいはパラレル転送用の信号線として用いることができる。この
ため、高速シリアル転送を採用した場合に、高速ラインのインピーダンスを例えば１００
Ωに設定できるなど、高速ラインのインピーダンスコントロールを行なうことができる。
それ故、高速シリアル転送を採用した場合において、信号特性の向上やノイズの低減を確
実に図ることができる。
【００１０】
本発明は、前記第２信号線が、２本一組で高速シリアル転送を行なう差動信号線である
場合に適用すると特に効果的であり、この場合、当該２本の差動信号線の１本当たりの幅
寸法が前記第１信号線より幅広である構成を採用する。
【００１１】
本発明において、前記第２パッドは、前記第１パッドよりも幅寸法が広い導電パターン
からなる構成を採用することができる。
【００１２】
本発明において、前記第２パッドは、前記第１パッドと幅寸法が等しい複数の導電パタ
ーンからなる構成を採用してもよい。
【００１３】
本発明を適用した電気光学パネルを備えた電気光学装置は、前記画素配列領域内から延
在する信号線の端部に接続する端子、前記第１信号線において前記画素配列領域側に位置
する端部に接続する端子、および前記第２信号線において前記画素配列領域側に位置する
端部に接続する端子を備えた集積回路装置と、前記第１パッドに接続する端子、および前
記第２パッドに接続する端子を備えた配線基板と、を有している。
【００１４】
かかる電気光学装置は、携帯電話機、カーナビゲーション、パーソナルコンピュータな
どの電子機器に用いられる。
【発明を実施するための最良の形態】
【００１５】
以下、本発明の好適な実施の形態について詳細に説明する。なお、以下の説明で参照す
る図においては、各領域を図面上で認識可能な程度の大きさとするため、縮尺などを異な
らしめてある。また、電極や配線の数についても簡素化して示してある。
【００１６】
［実施の形態１］
（電気光学装置の全体構成）
図１（ａ）、（ｂ）は各々、本発明を適用した電気光学装置（液晶装置）をその上に形
成された各構成要素と共に対向基板の側から見た平面図、およびそのＨ−Ｈ′断面図であ
る。図１（ａ）、（ｂ）において、本形態の電気光学装置１００は、ＴＮ（Twisted Nema
tic）モード、ＥＣＢ（Electrically Controlled Birefringence）モード、ＶＡＮ（Vert
ical Aligned Nematic）モードのアクティブマトリクス型の液晶装置である。この電気光
学装置１００では、矩形の素子基板１０（電気光学装置用基板）と矩形の対向基板２０と
がシール材２２を介して貼り合わされた電気光学パネル３０（液晶パネル）を有しており
、素子基板１０と対向基板２０との間に液晶１ｆが保持されている。
【００１７】
シール材２２は、素子基板１０と対向基板２０とをそれらの周辺で貼り合わせるための
光硬化樹脂や熱硬化性樹脂などからなる接着剤であり、両基板間の距離を所定値とするた
めのグラスファイバー、あるいはガラスビーズ等のギャップ材が配合されている。シール
材２２には、その途切れ部分によって液晶注入口２５が形成され、液晶１ｆを注入した後
、封止材２７により封止されている。
【００１８】
素子基板１０において、シール材２２で囲まれた領域内は、画素電極２ａや画素トラン
ジスタ２ｃがマトリクス状に配列された画素配列領域１０ａになっており、画素電極２ａ
の表面には配向膜１９が形成されている。対向基板２０には、シール材２２の内側領域に
遮光性材料からなる額縁２６（図１（ｂ）では図示を省略）が形成され、その内側が画像
表示領域１ａになっている。対向基板２０には、図示を省略するが、各画素の縦横の境界
領域と対向する領域にブラックマトリクス、あるいはブラックストライプなどと称せられ
る遮光膜が形成され、その上層側には、共通電極２８および配向膜２９が形成されている
。また、対向基板２０において、素子基板１０の各画素に対向する領域には、ＲＧＢのカ
ラーフィルタ（図示せず）がその保護膜とともに形成され、それにより、電気光学装置１
００をモバイルコンピュータ、携帯電話機、液晶テレビなどといった電子機器のカラー表
示装置として用いることができる。なお、電気光学装置１００がＩＰＳ(In Plane Switch
ing)モードやＦＦＳ（Fringe Field Switching）モードのアクティブマトリクス型の液晶
装置である場合、共通電極２８は、素子基板１０の側に形成される。
【００１９】
素子基板１０は対向基板２０よりも大きく、素子基板１０は、シール材２２の外側で対
向基板２０の端部から張り出した張り出し領域１５を備えている。張り出し領域１５には
ＩＣ実装領域１ｓが形成されており、このＩＣ実装領域１ｓには、走査ドライバ（走査線
駆動回路）およびデータドライバ（ソース線駆動回路）などを内蔵する集積回路装置６０
（半導体集積装置）がＣＯＧ（Chip On Glass）実装されている。
【００２０】
素子基板１０の張り出し領域１５には、ＩＣ実装領域１ｓに隣接する端部に基板接続領
域１ｔが形成されており、この基板接続領域１ｔには、配線基板としてのフレキシブル配
線基板７０が接続されている。フレキシブル配線基板７０には、各種配線パターンが形成
されており、集積回路装置６０と液晶装置コントローラ３００側との電気的な接続がおこ
なわれている。このようにして、電気光学装置１００は、図７を参照して例示する電子機
器に搭載される。
【００２１】
ここで、素子基板１０では、画素配列領域１０ａからＩＣ実装領域１ｓに向けて、画素
配列領域１０ａの外側領域１ｂを通って、後述する走査線３ａやデータ線６ａから延在す
る引き回し配線１６、１７が形成されており、かかる引き回し配線１６、１７の端部は、
集積回路装置６０を実装するためのパッドになっている。
【００２２】
また、ＩＣ実装領域１ｓと基板接続領域１ｔとの間には、液晶装置コントローラ３００
からフレキシブル配線基板７０を介して出力された定電位や信号を集積回路装置６０に供
給するための配線群１１が形成されている。
【００２３】
（電気光学装置の電気的構成）
図２は、本発明を適用した電気光学装置の電気的構成を示す説明図である。本形態の電
気光学装置１００において、電気光学パネル３０に用いた素子基板１０には、複数のデー
タ線６ａ（ソース線）と、データ線６ａと交差する方向に延在する複数の走査線３ａ（ゲ
ート線）と、データ線６ａおよび走査線３ａの交差に対応する複数の画素１０ｂとが構成
され、かかる複数の画素１０ｂがマトリクス状に配列された領域によって画素配列領域１
０ａが構成されている。
【００２４】
複数の画素１０ｂの各々には、画素電極２ａ、および画素電極２ａを制御するための画
素トランジスタ２ｃ（電界効果型トランジスタ）が形成されている。データ線６ａは、画
素トランジスタ２ｃのソースに電気的に接続されており、走査線３ａは、画素トランジス
タ２ｃのゲートに電気的に接続されている。画素電極２ａは、画素トランジスタ２ｃのド
レインに電気的に接続されており、電気光学装置１００では、画素トランジスタ２ｃを一
定期間だけそのオン状態とすることにより、データ線６ａから供給される画像信号を各画
素１０ｂの液晶容量に所定のタイミングで書き込む。液晶容量に書き込まれた所定レベル
の画像信号は、素子基板１０に形成された画素電極２ａと、対向基板２０の共通電極２８
（図１（ｂ）参照）との間で一定期間保持される。画素電極２ａには保持容量２ｅが付加
されており、画素電極２ａの電圧は、例えば、ソース電圧が印加された時間よりも３桁も
長い時間だけ保持される。これにより、電荷の保持特性は改善され、コントラスト比の高
い表示を行うことのできる電気光学装置１００が実現される。本形態では、保持容量２ｅ
を構成するにあたって、走査線３ａと並行するように容量線３ｂが形成されているが、前
段の走査線３ａとの間に保持容量２ｅが形成される場合もある。
【００２５】
（集積回路装置６０の構成）
本形態の電気光学装置１００において、集積回路装置６０には複数の回路ブロックが構
成されている。また、集積回路装置６０において画素配列領域１０ａが位置する側の端部
は、画素配列領域１０ａから延在する引き回し配線１６、１７の端部に接続するバンプの
配列領域６６、６７になっている。集積回路装置６０において基板接続領域１ｔが位置す
る側の端部は、配線群１１の端部からなるパッドに接続するバンプの配列領域６８になっ
ている。
【００２６】
本形態において、集積回路装置６０では、回路ブロックによって、走査ドライバ６１０
、データドライバ６２０、電源回路６３０、階調電圧生成回路６４０、ロジック回路６８
０、メモリ（図示せず）などが構成されている。メモリは、ＲＡＭなどにより構成されて
おり、少なくとも１フレーム（１画面）分の画像データ（表示データ）を記憶する。
【００２７】
ロジック回路６８０には制御回路および表示タイミング制御回路などが形成されており
、ロジック回路６８０において、制御回路は、各種制御信号を生成する機能を担う他、装
置全体の制御を行う。具体的には、制御回路は、階調電圧生成回路６４０に対して階調特
性（γ特性）を調整するための階調調整データ（γ補正データ）を出力する機能や、電源
回路６３０に対して電源電圧を調整するための電源調整データを出力する機能を担ってい
る。また、制御回路は、メモリへのライト／リード処理を制御する機能も担っている。表
示タイミング制御回路は表示タイミングを制御するための各種の制御信号を生成し、メモ
リから電気光学パネル３０への画像データの読み出しを制御する。
【００２８】
データドライバ６２０は、電気光学パネル３０のデータ線６ａを駆動するためのデータ
信号を生成する回路である。具体的にはデータドライバ６２０は、メモリから画像データ
（階調データ）を受け、階調電圧生成回路６４０から複数（例えば２５６段階）の階調電
圧（基準電圧）を受ける。そして、これらの複数の階調電圧の中から、画像データに対応
する電圧を選択して、データ信号（データ電圧）として電気光学パネル３０のデータ線６
ａに出力する。
【００２９】
走査ドライバ６１０は電気光学パネル３０の走査線３ａを駆動するための走査信号を生
成する回路である。具体的には、走査ドライバ６１０では、内蔵するシフトレジスタにお
いて信号を順次シフトし、このシフトされた信号をレベル変換した信号を、走査信号とし
て電気光学パネル３０の各走査線３ａに出力する。
【００３０】
電源回路６３０は各種の電源電圧を生成する回路である。具体的には、入力電源電圧や
内部電源電圧を、内蔵する昇圧回路を含む昇圧用キャパシタや昇圧トランジスタを用いて
チャージポンプ方式で昇圧する。そして昇圧により得られた電圧を、データドライバ６２
０、走査ドライバ６１０、階調電圧生成回路６４０などに供給する。
【００３１】
階調電圧生成回路（γ補正回路）６４０は階調電圧を生成してデータドライバ６２０に
供給する回路である。
【００３２】
（データ転送のための構成）
図３は、本発明を適用した電気光学装置１００および電子機器１０００において、高速
シリアル転送のための構成などを示す説明図である。なお、図３では、集積回路装置６０
をクライアント（Ｃ）側とし、液晶装置コントローラ３００をホスト（Ｈ）側として、液
晶装置コントローラ３００で用いるイネーブル信号ＥＮＢ、クロック信号ＣＫおよびデー
タ信号ＤＡＴＡの末尾にＨを付し、集積回路装置６０側で用いるイネーブル信号ＥＮＢ、
クロック信号ＣＫおよびデータ信号ＤＡＴＡの末尾にＣを付してある。
【００３３】
図２および図３に示すように、集積回路装置６０には、インターフェース回路として、
インターフェース速度が比較的遅いクロック同期のシリアルインターフェース、あるいは
パラレルインターフェースを行なう第１インターフェース回路６６０が構成されている。
また、集積回路装置６０には、インターフェース回路として、高速シリアル転送を行なう
第２インターフェース回路６７０が構成されている。
【００３４】
本形態において、第１インターフェース回路６６０は、パラレルインターフェース回路
であり、液晶装置コントローラ３００から出力されたライト信号ＷＲ、リード信号ＲＤ、
リセット信号ＲＳ、チップセレクト信号ＣＳなどのコマンドを受信する。ここで、ライト
信号ＷＲ、リード信号ＲＤ、リセット信号ＲＳ、チップセレクト信号ＣＳは、ＣＭＯＳ（
Complementary Metal Oxide Semiconductor）レベルよりも振幅が大きな信号である。な
お、第１インターフェース回路６６０に対応する信号として、図３などには、ライト信号
ＷＲ、リード信号ＲＤ、リセット信号ＲＳ、チップセレクト信号ＣＳを例示してあるが、
第１インターフェース回路６６０に対応する信号として、上記のコマンドの他、アドレス
やスタンバイなどに対応する信号を例示することができる。
【００３５】
第２インターフェース回路６７０は、シリアルバスを介した高速シリアル転送を実現す
る回路である。具体的には、シリアルバスの差動信号線を電流駆動あるいは電圧駆動する
ことにより、液晶装置コントローラ３００との間で高速シリアル転送が実現される。かか
る第２インターフェース回路６７０では、ＣＭＯＳレベル（差動信号）の振幅が小さな信
号が入力される。より具体的には、小振幅の差動データ信号ＤＰ、ＤＭや、小振幅の差動
クロック信号ＣＫＰ、ＣＫＭが入力され、差動データ信号ＤＰ、ＤＭの差動増幅や、差動
クロック信号ＣＫＰ、ＣＫＭの差動増幅を行って、液晶装置コントローラ３００からのデ
ータを受信する。ここで、差動データ信号ＤＰ、ＤＭには、電気光学装置１００で表示さ
れる画像データが含まれている。差動データ信号ＤＰ、ＤＭは、互いに反転差動信号に関
係にあり、差動クロック信号ＣＫＰ、ＣＫＭは、互いに反転差動信号に関係にある。
【００３６】
かかる高速シリアル転送を行なうことを目的に、第２インターフェース回路６７０（受
信部）は、クロック用レシーバ回路６７１、データ用レシーバ回路６７２、シリアル−パ
ラレル変換回路（図示せず）などを備えている。また、液晶装置コントローラ３００側は
、クロック用トランスミッタ回路３０１、データ用トランスミッタ回路３０２、パラレル
−シリアル変換回路（図示せず）などを備えた送信部３１０を有している。クロック用ト
ランスミッタ回路３０１は、差動クロック信号ＣＫＰ、ＣＫＭを出力し、クロック用レシ
ーバ回路６７１は、この差動クロック信号ＣＫＰ、ＣＫＭの差動増幅を行い、得られたク
ロックＣＫＣを後段の回路に出力する。また、データ用トランスミッタ回路３０２は、差
動データ信号ＤＰ、ＤＭを出力し、データ用レシーバ回路６７２は、この差動データ信号
ＤＰ、ＤＭの差動増幅を行い、得られたデータ信号ＤＡＴＡＣを後段の回路に出力する。
【００３７】
さらに、本形態では、液晶装置コントローラ３００から集積回路装置６０に対して、グ
ランド電位ＧＮＤおよび駆動電位Ｖｄが供給される。
【００３８】
（配線群１１の構成）
図４は、本発明の実施の形態１に係る電気光学パネル３０、電気光学装置１００および
電子機器１０００において、素子基板１０上に形成した配線などの平面的な構成を示す説
明図である。なお、図４に示すパッドにおいて、集積回路装置６０やフレキシブル配線基
板７０が接続される領域には斜線を付してある。
【００３９】
本形態の電気光学装置１００および電子機器１０００において、図３を参照して説明し
たデータ転送や給電は、図１、図２、図３および図４に示すように、液晶装置コントロー
ラ３００と電気光学パネル３０とを接続するフレキシブル配線基板７０、および素子基板
１０に形成された配線群１１により行なわれる。ここで、高速シリアル転送を採用した場
合、パラレル転送と違って、信号特性の向上やノイズの低減という面から高速ラインのイ
ンピーダンスコントロールが必要である。特に高速シリアル転送の場合、反転差動信号の
振幅が小さいため、インピーダンスが適正でないと、振幅が低下し、信号レベルが反転し
てしまうおそれがある。
【００４０】
そこで、本形態では、フレキシブル配線基板７０やコネクタ（図示せず）としてインピ
ーダンスコントロールが行なわれたものが用いられている。また、素子基板１０では、配
線群１１に対して、図３および図４を参照して以下に説明する構造が採用されている。
【００４１】
図３および図４に示すように、素子基板１０の端部において、基板接続領域１ｔには、
液晶装置コントローラ３００からフレキシブル配線基板７０を介してライト信号ＷＲ、リ
ード信号ＲＤ、リセット信号ＲＳ、チップセレクト信号ＣＳなどが供給される第１パッド
１２ｅ〜１２ｈが形成され、かかる第１パッド１２ｅ〜１２ｈにフレキシブル配線基板７
０の端子が異方性導電膜などにより接続されている。また、素子基板１０では、第１パッ
ド１２ｅ〜１２ｈからＩＣ実装領域１ｓ（画素配列領域１０ａが位置する側）に向けて第
１信号線１１ｅ〜１１ｈが延在している。ＩＣ実装領域１ｓにおいて、第１信号線１１ｅ
〜１１ｈの端部は、集積回路装置６０を実装するためのパッド１３ｅ〜１３ｈになってお
り、かかるパッド１３ｅ〜１３ｈに集積回路装置６０のバンプが異方性導電膜などにより
接続されている。このようにして、第１パッド１２ｅ〜１２ｈ、第１信号線１１ｅ〜１１
ｈ、およびパッド１３ｅ〜１３ｈは、第１インターフェース回路６６０に電気的に接続さ
れていることになる。
【００４２】
ここで、第１パッド１２ｅおよび第１信号線１１ｅはライト信号ＷＲに対応し、第１パ
ッド１２ｆおよび第１信号線１１ｆはリード信号ＲＤに対応し、第１パッド１２ｇおよび
第１信号線１１ｇはリセット信号ＲＳに対応し、第１パッド１２ｈおよび第１信号線１１
ｈはチップセレクト信号ＣＳに対応する。
【００４３】
また、基板接続領域１ｔには、液晶装置コントローラ３００からフレキシブル配線基板
７０を介して差動クロック信号ＣＫＰ、ＣＫＭおよび差動データ信号ＤＰ、ＤＭが供給さ
れる第２パッド１２ａ〜１２ｄが形成され、かかる第２パッド１２ａ〜１２ｄにフレキシ
ブル配線基板７０の端子が異方性導電膜などにより接続されている。また、素子基板１０
では、第２パッド１２ａ〜１２ｄからＩＣ実装領域１ｓに向けて第２信号線１１ａ〜１１
ｄが延在している。ＩＣ実装領域１ｓにおいて、第２信号線１１ａ〜１１ｄの端部は、集
積回路装置６０を実装するためのパッド１３ａ〜１３ｄになっており、かかるパッド１３
ａ〜１３ｄに集積回路装置６０のバンプが異方性導電膜などにより接続されている。この
ようにして、第２パッド１２ａ〜１２ｄ、第２信号線１１ａ〜１１ｄ、およびパッド１３
ａ〜１３ｄは、第２インターフェース回路６７０に電気的に接続されている。
【００４４】
ここで、第２パッド１２ａおよび第２信号線１１ａは差動クロック信号ＣＫＰに対応し
、第２パッド１２ｂおよび第２信号線１１ｂは差動クロック信号ＣＫＭに対応しており、
第２信号線１１ａと第２信号線１１ｂは２本一組で高速シリアル転送用の差動信号線対１
１ｘを構成している。また、第２パッド１２ｃおよび第２信号線１１ｃは差動データ信号
ＤＰに対応し、第２パッド１２ｄおよび第２信号線１１ｄは差動データ信号ＤＭに対応し
ており、第２信号線１１ｃと第２信号線１１ｄは２本一組で高速シリアル転送用の差動信
号線対１１ｙを構成している。本形態において、差動信号線対１１ｘを構成する第２信号
線１１ａ、１１ｂは隣接する位置で延在し、差動信号線対１１ｙを構成する第２信号線１
１ｃ、１１ｄは隣接する位置で延在している。
【００４５】
さらに、基板接続領域１ｔには、液晶装置コントローラ３００からフレキシブル配線基
板７０を介してグランド電位ＧＮＤおよび駆動電位Ｖｄが供給される第３パッド１２ｉ〜
１２ｋが形成され、かかる第３パッド１２ｉ〜１２ｋにフレキシブル配線基板７０の端子
が異方性導電膜などにより接続されている。また、素子基板１０では、第３パッド１２ｉ
〜１２ｋからＩＣ実装領域１ｓに向けて定電位線１１ｉ〜１１ｋが延在している。ＩＣ実
装領域１ｓにおいて、定電位線１１ｉ〜１１ｋの端部は、集積回路装置６０を実装するた
めのパッド１３ｉ〜１３ｋになっており、かかるパッド１３ｉ〜１３ｋに集積回路装置６
０のバンプが異方性導電膜などにより接続されている。
【００４６】
本形態において、駆動電位Ｖｄの供給には２本の配線が用いられており、第３パッド１
２ｉ、１２ｊおよび定電位線１１ｉ、１１ｊは駆動電位Ｖｄに対応する。第３パッド１２
ｋおよび定電位線１１ｋはグランド電位ＧＮＤに対応する。また、本形態において、定電
位線１１ｉ〜１１ｋは、高速シリアル転送用の差動信号線対１１ｘ、１１ｙを両側で挟む
ように配置されており、高速シリアル転送用の差動信号線対１１ｘ、１１ｙを両側で挟む
ように配置されており、差動信号線対１１ｘ、１１ｙから放出されるノイズを低減する機
能を担っている。
【００４７】
かかる配線群１１はいずれも、画素配列領域１０ａの画素トランジスタ２ｃ、データ線
６ａ、および走査線３ａを構成する導電膜と同時形成されてなり、配線群１１の端部に画
素それらの端部に画素電極２ａを構成する導電膜を積層することによって上記のパッドが
構成されている。
【００４８】
このように構成した電気光学パネル３０において、第１信号線１１ｅ〜１１ｈ、および
定電位線１１ｉ〜１１ｋの幅寸法はＷ１である。一方、第２信号線１１ａ〜１１ｄの幅寸
法はＷ２であり、幅寸法Ｗ１、Ｗ２は以下
Ｗ１＜Ｗ２
の関係に設定されている。例えば、高速シリアル転送に用いる第２信号線１１ａ〜１１ｄ
の幅寸法Ｗ２は、第１信号線１１ｅ〜１１ｈ、および定電位線１１ｉ〜１１ｋの幅寸法Ｗ
１より広い。例えば、第２信号線１１ａ〜１１ｄの幅寸法Ｗ２は、第１信号線１１ｅ〜１
１ｈ、および定電位線１１ｉ〜１１ｋの幅寸法Ｗ１の約２倍以上である。より具体的にい
えば、第１信号線１１ｅ〜１１ｈ、および定電位線１１ｉ〜１１ｋの幅寸法Ｗ１は１００
μｍ、ギャップは５０μｍであり、第２信号線１１ａ〜１１ｄの幅寸法Ｗ２は１５０μｍ
、ギャップは５０μｍである。
【００４９】
ここで、第１パッド１２ｅ〜１２ｈは、第１信号線１１ｅ〜１１ｈと同一の幅寸法Ｗ１
であり、第３パッド１２ｉ〜１２ｋは、定電位線１１ｉ〜１１ｋと同一の幅寸法Ｗ１であ
る。また、第２パッド１２ａ〜１２ｄは、第２信号線１１ａ〜１１ｄと同一の幅寸法Ｗ２
である。このため、高速シリアル転送に用いる第２パッド１２ａ〜１２ｄの幅寸法Ｗ２は
、第１パッド１２ｅ〜１２ｈ、および第３パッド１２ｉ〜１２ｋの幅寸法Ｗ１に比して広
い。
【００５０】
また、パッド１３ｅ〜１３ｈは、第１信号線１１ｅ〜１１ｈと同一の幅寸法Ｗ１であり
、パッド１３ｉ〜１３ｋは、定電位線１１ｉ〜１１ｋと同一の幅寸法Ｗ１である。また、
パッド１３ａ〜１３ｄは、第２信号線１１ａ〜１１ｄと同一の幅寸法Ｗ２である。このた
め、高速シリアル転送に用いるパッド１３ａ〜１３ｄの幅寸法Ｗ２は、パッド１３ｅ〜１
３ｋの幅寸法Ｗ１に比して広い。
【００５１】
（本形態の主な効果）
以上説明したように、本形態の電気光学パネル３０、電気光学装置１００および電子機
器１０００では、素子基板１０（電気光学装置用基板）上に、第１信号線１１ｅ〜１１ｈ
と、この第１信号線１１ｅ〜１１ｈよりも広い幅寸法の第２信号線１１ａ〜１１ｄとが形
成されている。このため、幅寸法の広い第２信号線１１ａ〜１１ｄを高速シリアル転送に
用いることができ、幅寸法の狭い第１信号線１１ｅ〜１１ｈについては、パラレル転送用
の信号線として用いることができる。このため、高速シリアル転送を採用する際に、高速
ラインのインピーダンスを例えば１００Ωに設定できるなど、高速ラインのインピーダン
スコントロールを行なうことができる。それ故、本形態によれば、高速シリアル転送を採
用した場合において、信号特性の向上やノイズの低減を確実に図ることができる。
【００５２】
［実施の形態２］
図５は、本発明の実施の形態２に係る電気光学パネル３０、電気光学装置１００および
電子機器１０００において、素子基板１０上に形成した配線などの平面的な構成を示す説
明図である。なお、本形態の基本的な構成は、実施の形態１と同様であるため、共通の機
能を担う部分には同一の符号を付して図示し、それらの説明を省略する。
【００５３】
本形態の電気光学装置１００および電子機器１０００においても、実施の形態１と同様
、高速シリアル転送を採用した場合の信号特性の向上やノイズの低減という面から、図３
および図５に示す構成が採用されている。
【００５４】
図３および図５に示すように、まず、素子基板１０には、実施の形態１と同様、液晶装
置コントローラ３００からフレキシブル配線基板７０を介してライト信号ＷＲ、リード信
号ＲＤ、リセット信号ＲＳ、チップセレクト信号ＣＳなどが供給される第１信号線１１ｅ
〜１１ｈが形成されており、かかる第１信号線１１ｅ〜１１ｈは、第１インターフェース
回路６６０に電気的に接続されている。また、素子基板１０には、実施の形態１と同様、
液晶装置コントローラ３００からフレキシブル配線基板７０を介して差動クロック信号Ｃ
ＫＰ、ＣＫＭおよび差動データ信号ＤＰ、ＤＭが供給される第２信号線１１ａ〜１１ｄが
形成されており、かかる第２信号線１１ａ〜１１ｄは、第２インターフェース回路６７０
に電気的に接続されている。さらに、素子基板１０には、実施の形態１と同様、液晶装置
コントローラ３００からフレキシブル配線基板７０を介してグランド電位ＧＮＤおよび駆
動電位Ｖｄが供給される定電位線１１ｉ〜１１ｋが形成されている。
【００５５】
本形態では、第２信号線１１ａ〜１１ｄの幅寸法はＷ２であるのに対して、第１信号線
１１ｅ〜１１ｈの幅寸法はＷ１であり、幅寸法Ｗ１、Ｗ２は以下
Ｗ１＜Ｗ２
の関係に設定されている。
【００５６】
ここで、定電位線１１ｉ〜１１ｋの幅寸法はＷ３であり、幅寸法Ｗ１、Ｗ２、Ｗ３は以
下
Ｗ１＜Ｗ２＜Ｗ３
の関係に設定されている。
【００５７】
このように、本形態では、第２信号線１１ａ〜１１ｄの幅寸法Ｗ２は、定電位線１１ｉ
〜１１ｋの幅寸法Ｗ３より狭いが、第１信号線１１ｅ〜１１ｈの幅寸法Ｗ１より広い。
【００５８】
なお、第１信号線１１ｅ〜１１ｈに対応する第１パッド１２ｅ〜１２ｈおよびパッド１
３ｅ〜１３ｈは、第１信号線１１ｅ〜１１ｈと幅寸法が等しい。また、第２信号線１１ａ
〜１１ｄに対応する第２パッド１２ａ〜１２ｄおよびパッド１３ａ〜１３ｄは、第２信号
線１１ａ〜１１ｄと幅寸法が等しい。さらに、定電位線１１ｉ〜１１ｋに対応する第３パ
ッド１２ｉ〜１２ｋおよびパッド１３ｉ〜１３ｋは、定電位線１１ｉ〜１１ｋと幅寸法が
等しい。
【００５９】
このように本形態でも、本形態の電気光学パネル３０、電気光学装置１００および電子
機器１０００では、素子基板１０（電気光学装置用基板）上には、第１信号線１１ｅ〜１
１ｈと、この第１信号線１１ｅ〜１１ｈよりも広い幅寸法の第２信号線１１ａ〜１１ｄと
が形成されている。このため、幅寸法の広い第２信号線１１ａ〜１１ｄを高速シリアル転
送に用いることができる。それ故、高速シリアル転送を採用した場合に、信号特性の向上
やノイズの低減を確実に図ることができる。
【００６０】
［実施の形態３］
図６は、本発明の実施の形態３に係る電気光学パネル３０、電気光学装置１００および
電子機器１０００において、素子基板１０上に形成した配線などの平面的な構成を示す説
明図である。なお、本形態の基本的な構成は、実施の形態１と同様であるため、共通の機
能を担う部分には同一の符号を付して図示し、それらの説明を省略する。
【００６１】
本形態の電気光学装置１００および電子機器１０００においても、実施の形態１と同様
、高速シリアル転送を採用した場合の信号特性の向上やノイズの低減という面から、図３
および図６に示す構成が採用されている。
【００６２】
図３および図６に示すように、まず、素子基板１０には、実施の形態１と同様、液晶装
置コントローラ３００からフレキシブル配線基板７０を介してライト信号ＷＲ、リード信
号ＲＤ、リセット信号ＲＳ、チップセレクト信号ＣＳなどが供給される第１信号線１１ｅ
〜１１ｈが形成されており、かかる第１信号線１１ｅ〜１１ｈは、第１インターフェース
回路６６０に電気的に接続されている。また、素子基板１０には、実施の形態１と同様、
液晶装置コントローラ３００からフレキシブル配線基板７０を介して差動クロック信号Ｃ
ＫＰ、ＣＫＭおよび差動データ信号ＤＰ、ＤＭが供給される第２信号線１１ａ〜１１ｄが
形成されており、かかる第２信号線１１ａ〜１１ｄは、第２インターフェース回路６７０
に電気的に接続されている。さらに、素子基板１０には、実施の形態１と同様、液晶装置
コントローラ３００からフレキシブル配線基板７０を介してグランド電位ＧＮＤおよび駆
動電位Ｖｄが供給される定電位線１１ｉ〜１１ｋが形成されている。
【００６３】
このように構成した電気光学パネル３０において、第２信号線１１ａ〜１１ｄおよび定
電位線１１ｉ〜１１ｋの幅寸法はＷ１であるのに対して、第２信号線１１ａ〜１１ｄの幅
寸法はＷ２であり、幅寸法Ｗ１、Ｗ２は以下
Ｗ１＜Ｗ２
の関係に設定されている。
【００６４】
本形態において、第１パッド１２ｅ〜１２ｈは、第１信号線１１ｅ〜１１ｈと同一の幅
寸法Ｗ１であり、第３パッド１２ｉ〜１２ｋは、定電位線１１ｉ〜１１ｋと同一の幅寸法
Ｗ１である。これに対して、第２信号線１１ａは、２つの第２パッド１２ａ１、１２ａ２
に跨るように形成され、第２信号線１１ｂは、２つの第２パッド１２ｂ１、１２ｂ２に跨
るように形成されている。また、第２信号線１１ｃは、２つの第２パッド１２ｃ１、１２
ｃ２に跨るように形成され、第２信号線１１ｄは、２つの第２パッド１２ｄ１、１２ｄ２
に跨るように形成されている。ここで、第１パッド１２ｅ〜１２ｈ、第２パッド１２ａ１
、１２ａ２、第２パッド１２ｂ１、１２ｂ２、第２パッド１２ｃ１、１２ｃ２、第２パッ
ド１２ｄ１、１２ｄ２、および第３パッド１２ｉ〜１２ｋは等しい幅寸法をもって等ピッ
チに形成されている。
【００６５】
また、パッド１３ｅ〜１３ｈは、第１信号線１１ｅ〜１１ｈと同一の幅寸法Ｗ１であり
、パッド１３ｉ〜１３ｋは、定電位線１１ｉ〜１１ｋと同一の幅寸法Ｗ１である。これに
対して、第２信号線１１ａは、２つのパッド１３ａ１、１３ａ２に跨るように形成され、
第２信号線１１ｂは、２つのパッド１３ｂ１、１３ｂ２に跨るように形成されている。ま
た、第２信号線１１ｃは、２つのパッド１３ｃ１、１３ｃ２に跨るように形成され、第２
信号線１１ｄは、２つのパッド１３ｄ１、１３ｄ２に跨るように形成されている。ここで
、パッド１３ａ〜１３ｋは等しい幅寸法をもって等ピッチに形成されている。
【００６６】
このように本形態でも、本形態の電気光学パネル３０、電気光学装置１００および電子
機器１０００では、素子基板１０（電気光学装置用基板）上には、第１信号線１１ｅ〜１
１ｈと、この第１信号線１１ｅ〜１１ｈよりも広い幅寸法の第２信号線１１ａ〜１１ｄと
が形成されている。このため、幅寸法の広い第２信号線１１ａ〜１１ｄを高速シリアル転
送に用いることができる。それ故、高速シリアル転送を採用した場合に、信号特性の向上
やノイズの低減を確実に図ることができる。
【００６７】
［その他の構成］
上記実施形態では、幅寸法の広い第２信号線１１ａ〜１１ｄについては高速シリアル転
送に用い、幅寸法の狭い第１信号線１１ｅ〜１１ｈについてはパラレル転送に用いたが、
幅寸法の狭い第１信号線１１ｅ〜１１ｈについては第２信号線１１ａ〜１１ｄに比して転
送速度が遅いシリアル転送に用いてもよい。また、上記実施形態では、画像データおよび
クロックの転送に高速シリアル転送を用いたが、各種コマンドの転送に高速シリアル転送
を用いた場合に本発明を適用してもよい。
【００６８】
上記実施形態では、電気光学装置１００として、液晶装置を例示したが、有機エレクト
ロルミネッセンス装置やプラズマ表示装置に本発明を適用してもよい。
【００６９】
［電子機器への搭載例］
次に、上述した実施形態に係る電気光学装置１００を適用した電子機器について説明す
る。図７（ａ）に、電気光学装置１００を備えたモバイル型のパーソナルコンピュータの
構成を示す。パーソナルコンピュータ２０００は、表示ユニットとしての電気光学装置１
００と本体部２０１０を備える。本体部２０１０には、電源スイッチ２００１及びキーボ
ード２００２が設けられている。図７（ｂ）に、電気光学装置１００を備えた携帯電話機
の構成を示す。携帯電話機３０００は、複数の操作ボタン３００１及びスクロールボタン
３００２、並びに表示ユニットとしての電気光学装置１００を備える。スクロールボタン
３００２を操作することによって、電気光学装置１００に表示される画面がスクロールさ
れる。図７（ｃ）に、電気光学装置１００を適用した情報携帯端末（ＰＤＡ：Personal D
igital Assistants）の構成を示す。情報携帯端末４０００は、複数の操作ボタン４００
１及び電源スイッチ４００２、並びに表示ユニットとしての電気光学装置１００を備える
。電源スイッチ４００２を操作すると、住所録やスケジュール帳といった各種の情報が電
気光学装置１００に表示される。
【００７０】
なお、電気光学装置１００が適用される電子機器としては、図７に示すものの他、デジ
タルスチルカメラ、液晶テレビ、ビューファインダ型、モニタ直視型のビデオテープレコ
ーダ、カーナビゲーション装置、ページャ、電子手帳、電卓、ワードプロセッサ、ワーク
ステーション、テレビ電話、ＰＯＳ端末、銀行端末などの電子機器などが挙げられる。そ
して、これらの各種電子機器の表示部として、前述した電気光学装置１００が適用可能で
ある。
【図面の簡単な説明】
【００７１】
【図１】（ａ）、（ｂ）は各々、本発明を適用した電気光学装置（液晶装置）をその上に形成された各構成要素と共に対向基板の側から見た平面図、およびそのＨ−Ｈ′断面図である。
【図２】本発明を適用した電気光学装置の電気的構成を示す説明図である。
【図３】本発明を適用した電気光学装置および電子機器において、高速シリアル転送のための構成などを示す説明図である。
【図４】本発明の実施の形態１に係る電気光学パネル、電気光学装置および電子機器において、素子基板上に形成した配線などの平面的な構成を示す説明図である。
【図５】本発明の実施の形態２に係る電気光学パネル、電気光学装置および電子機器において、素子基板上に形成した配線などの平面的な構成を示す説明図である。
【図６】本発明の実施の形態３に係る電気光学パネル、電気光学装置および電子機器において、素子基板上に形成した配線などの平面的な構成を示す説明図である。
【図７】本発明に係る電気光学装置を用いた電子機器の説明図である。
【符号の説明】
【００７２】
１０・・素子基板（電気光学装置用基板）、１１・・配線群、１１ａ〜１１ｄ・・第２信
号線、１１ｅ〜１１ｈ・・第１信号線、１１ｉ〜１１ｋ・・定電位線、１１ｘ、１１ｙ・
・差動信号線対、１２ａ〜１２ｄ・・第２パッド、１２ｅ〜１２ｈ・・第１パッド、１２
ｉ〜１２ｋ・・第３パッド、２０・・対向基板、３０・・電気光学パネル、６０・・集積
回路装置、７０・・フレキシブル配線基板（配線基板）、１００・・電気光学装置、１０
００・・電子機器、６６０・・第１インターフェース回路、６７０・・第２インターフェ
ース回路
【図１】
2010122483.tif 000003
【図２】
2010122483.tif 000004
【図３】
2010122483.tif 000005
【図４】
2010122483.tif 000006
【図５】
2010122483.tif 000007
【図６】
2010122483.tif 000008
【図７】
2010122483.tif 000009